(57)【特許請求の範囲】
【請求項１】
懸吊物を吊下げる吊りボルトの振れ止めをする吊りボルト用振れ止め金具において、板状の外側挟着体と該外側挟着体の内側に重合される内側挟着体との間に吊りボルトを挟んだ状態で吊りボルトに装着する挟着体と、吊りボルトを挟んだ挟着体の側面を貫通して挟着体に連結する連結ボルトと、該連結ボルトにて挟着体の側面に連結され挟着体の側面に沿って配置した長ボルトを挟着体の側面に圧着固定する斜め支持体と、斜め支持体から挟着体に至る連結ボルトの外側面に装着され挟着体及び斜め支持体を押圧付勢するコイルスプリングと、を備え、
斜め支持体は、連結ボルトを挿通する貫通孔が開穿され挟着体の側面に長ボルトを圧着する重合板と、該重合板の一端側から挟着体側に屈曲され長ボルトの長手側面を保持する保持片と、重合板の他端側から屈曲され挟着体の側面に圧着する圧着片と、が設けられ、
連結ボルトを中心に長ボルトの角度を調整自在にすると共に、該長ボルトを斜め支持体で挟着体に圧着固定するように構成したことを特徴とする吊りボルト用振れ止め金具。
【請求項２】
前記挟着体の前記外側挟着体及び前記内側挟着体は平面直角になるように屈曲され、前記外側挟着体と前記内側挟着体との屈曲部分の間に前記吊りボルトを挟着するように構成すると共に、前記斜め支持体を挟着体の左右両端部に一対連結するように構成した請求項１記載の吊りボルト用振れ止め金具。
【請求項３】
前記連結ボルトは、外側挟着体の左右に形成されたボルト挿通孔を通して内側挟着体の左右に形成された雌ネジ部に直接ネジ止めするように構成した請求項１又は２記載の吊りボルト用振れ止め金具。
【請求項４】
前記斜め支持体において、前記重合板の前記長ボルト側面に当接する部位に、長ボルトのネジ山に係合する係合突起を突設した請求項１記載の吊りボルト用振れ止め金具。
【請求項５】
前記挟着体において、前記外側挟着体及び前記内側挟着体の前記吊りボルト側面に当接する部位に、前記吊りボルトのネジ山に係合する挟着突起を突設した請求項１記載の吊りボルト用振れ止め金具。
【発明の詳細な説明】
【技術分野】
【０００１】
本発明は、吊りボルトの振れ止めを極めて安全且つ合理的に行うことができる吊りボルト用振れ止め金具に関するものである。
【背景技術】
【０００２】
一般に、吊りボルトを使用して物品を懸吊した場合、地震等によって懸吊物が揺れないように、吊りボルトに振れ止め金具を装着している。例えば、天井設置用の空調機器のようなボックス状の懸吊物を４本の吊りボルトで吊下げる場合に、挟着体と斜め支持体とで構成された振れ止め金具が使用されている。この振れ止め金具では、吊りボルトを挟むように固定した挟着体に斜め支持体を連結し、この斜め支持体に長ボルトの端部を連結することで、吊りボルトの振れを防止するものである。
【０００３】
従来の振れ止め金具は、長ボルトの連結端部にそれぞれ１個の斜め支持体を介して挟着体が連結されていたので、４本の吊りボルトで吊下げる懸吊物等では振れ止め金具の部品点数が極めて多くなっており部品が落下する虞も多かった。しかも、このような作業を天井等の高所で行っているので、作業上の危険性が極めて高いものであった。このような高所での作業を安全にするため、当出願人は特許文献１及び特許文献２に記載の振れ止め金具を先に提案している。
【０００４】
これらの振れ止め金具は、吊りボルトに挟着する挟着金具と長ボルトを連結する斜め支持体とを一体化することで、振れ止め金具の部品点数を少なくするように構成したもので、高所での取付け作業を合理的、且つ安全に行うことができるようになっている。しかも、これらの振れ止め金具による振れ止め効果や安全性は、当業界から地震対策製品として優秀であることが認められている。
【先行技術文献】
【特許文献】
【０００５】
【特許文献１】特許第５４６６２７４号公報
【特許文献２】特許第５７０１４２６号公報
【発明の概要】
【発明が解決しようとする課題】
【０００６】
ところが、特許文献１及び特許文献２に記載の振れ止め金具においても、吊りボルトに挟着金具をネジ止めする作業と、斜め支持体に長ボルトを連結する作業とが個別に行われている。そのため、例えば４本の吊りボルトでボックス状の懸吊物を吊下げる場合、この４本の吊りボルトに必要な振れ止め金具の連結位置を合計すると４８箇所ものネジ止め作業が必要になっていた。
【０００７】
しかも、斜め支持体に長ボルトを連結する場合、長ボルトの端部に固定ナットを装着して長ボルトの連結位置を調整しているので、長ボルトの連結位置調整を適正にする必要があった。例えば、固定ナットを締め付け過ぎてしまうと、垂直に支持する吊りボルトが傾斜してしまう虞がある。このため、長ボルトの端部に固定ナットを装着する作業自体に多くの手間を要する上に、端部に装着する固定ナットの位置に合わせて予め長ボルトを切断する工程が必要な場合などもあった。このような様々な作業が長ボルトの固定作業を複雑化し、迅速な施工の妨げになっていた。
【０００８】
そこで本発明は、上述の特許文献１及び特許文献２に記載されている振れ止め金具の作業性を更に改良すべく創出されたもので、例えば空調機器等のボックス状の懸吊物を吊りボルトで吊下げる際に、吊りボルトの振れ止めを極めて安全に且つ合理的行うことが可能な吊りボルト用振れ止め金具の提供を目的とする。
【課題を解決するための手段】
【０００９】
上述の目的を達成すべく本発明における第１の手段は、懸吊物Ｒを吊下げる吊りボルトＰの振れ止めをする吊りボルト用振れ止め金具において、板状の外側挟着体１Ａと該外側挟着体１Ａの内側に重合される内側挟着体１Ｂとの間に吊りボルトＰを挟んだ状態で吊りボルトＰに装着する挟着体１と、吊りボルトＰを挟んだ挟着体１の側面を貫通して挟着体１に連結する連結ボルト２と、該連結ボルト２にて挟着体１の側面に連結され挟着体１の側面に沿って配置した長ボルトＱを挟着体１の側面に圧着固定する斜め支持体３と、斜め支持体３から挟着体１に至る連結ボルト２の外側面に装着され挟着体１及び斜め支持体３を押圧付勢するコイルスプリング４と、を備え、斜め支持体３は、連結ボルト２を挿通する貫通孔３Ａａが開穿され挟着体１の側面に長ボルトＱを圧着する重合板３Ａと、該重合板３Ａの一端側から挟着体１側に屈曲され長ボルトＱの長手側面を保持する保持片３Ｂと、重合板３Ａの他端側から屈曲され挟着体１の側面に圧着する圧着片３Ｃと、が設けられ、連結ボルト２を中心に長ボルトＱの角度を調整自在にすると共に、該長ボルトＱを斜め支持体３で挟着体１に圧着固定するように構成したことにある。
【００１０】
第２の手段は、前記挟着体１の前記外側挟着体１Ａ及び前記内側挟着体１Ｂは平面直角になるように屈曲され、前記外側挟着体１Ａと前記内側挟着体１Ｂとの屈曲部分の間に前記吊りボルトＰを挟着するように構成すると共に、前記斜め支持体３を挟着体１の左右両端部に一対連結するように構成したものである。
【００１１】
第３の手段において、前記連結ボルト２は、外側挟着体１Ａに形成されたボルト挿通孔１Ａａを通して内側挟着体１Ｂの左右に形成された雌ネジ部１Ｂａに直接ネジ止めすることで挟着体を固定するように構成している。
【００１２】
第４の手段は、前記斜め支持体３において、前記重合板３Ａの前記長ボルトＱ側面に当接する部位に、長ボルトＱのネジ山に係合する係合突起３Ａｂを突設したことにある。
【００１３】
第５の手段は、前記挟着体１において、前記外側挟着体１Ａ及び前記内側挟着体１Ｂの前記吊りボルトＰ側面に当接する部位に、前記吊りボルトＰのネジ山に係合する挟着突起１Ｃ、１Ｄを突設したものである。
【発明の効果】
【００１４】
本発明の請求項１のごとく、斜め支持体３と挟着体１とを重ねて連結した連結ボルト２を中心に長ボルトＱの角度を調整自在にすると共に、該長ボルトＱを斜め支持体３で挟着体１に圧着固定するように構成したことにより、連結ボルト２のみの締付作業で長ボルトＱの角度を調整しながら吊りボルトＰに固定することができる。
【００１５】
しかも、従来のように、長ボルトの端部に固定ナットを装着して長ボルトの連結位置を調整する必要がなくなり、長ボルトＱの側面に沿った斜め支持体３を締め付けるだけの簡単な作業で長ボルトＱを最適な位置に固定することができる。
【００１６】
更に、斜め支持体３と外側挟着体１Ａとの間に配置され連結ボルト２に外嵌した状態で外側挟着体１Ａを押圧付勢するコイルスプリング４とを備えているので、吊りボルトＰに挟着体１を簡単に仮止めすることができる。これらの結果、吊りボルトの振れ止めを極めて安全に且つ合理的行うことが可能になり、特に高所での振れ止め作業を簡単にして安全に行うことができる。
【００１７】
請求項２のごとく、挟着体１の外側挟着体１Ａ及び内側挟着体１Ｂは平面直角になるように屈曲され、外側挟着体１Ａと内側挟着体１Ｂとの屈曲部分の間に吊りボルトＰを挟着するように構成すると共に、斜め支持体３を挟着体１の左右両端部に一対連結するように構成したことで、従来では、懸吊物の四隅を吊下げる４本の吊りボルトに夫々２本の長ボルトＱを連結する場合、合計４８箇所ものネジ止め作業が必要になっていたのに対し、本発明では僅か１６箇所のネジ止め作業で完了する。したがって、振れ止め作業におけるネジ止め作業が大幅に減少し、合理的且つ安全に行うことが可能になった。
【００１８】
請求項３のように、連結ボルト２は、外側挟着体１Ａの左右に形成されたボルト挿通孔１Ａａを通して内側挟着体１Ｂの左右に形成された雌ネジ部１Ｂａに直接ネジ止めすることで挟着体を固定するように構成しているので、連結ボルト２のネジ止め作業を更に簡略化し、特に高所での作業を安全にすることができる。
【００１９】
請求項４のごとく、斜め支持体３において、重合板３Ａの長ボルトＱ側面に当接する部位に、長ボルトＱのネジ山に係合する係合突起３Ａｂを突設したことにより、斜め支持体３と長ボルトＱとの固定強度を高めることができ、より安全な使用が可能になる。
【００２０】
請求項５のように、外側挟着体１Ａ及び前記内側挟着体１Ｂの前記吊りボルトＰ側面に当接する部位に、前記吊りボルトＰのネジ山に係合する挟着突起１Ｃ、１Ｄを突設することにより、挟着体１を吊りボルトＰに極めて強固に固定することができる。
【図面の簡単な説明】
【００２１】
【図１】本発明の使用状態を示す斜視図である。
【図２】本発明の使用状態を示す分解斜視図である。
【図３】本発明の挟着体と斜め支持体とを連結した状態を示す平面図である。
【図４】本発明の挟着体と斜め支持体とを連結した状態を示す平断面図である。
【図５】本発明の重合板の係合突起を示す要部拡大断面図である。
【図６】（イ）乃至（ハ）は本発明の斜め支持体の他の実施例を示す斜視図である。
【図７】本発明の使用状態を示す側面図である。
【図８】（イ）乃至（ハ）は本発明の装着手順を示す要部斜視図である。
【発明を実施するための形態】
【００２２】
本発明振れ止め金具は、懸吊物Ｒを吊下げる吊りボルトＰに対して長ボルトＱを斜めに装着する際に、吊りボルトＰと長ボルトＱとを連結する金具として使用する（図７参照）。図示例では、空調機等のボックス状の懸吊物Ｒの四隅を吊下げる４本の吊りボルトＰに対して長ボルトＱを交差状に装着する状態を示しているが、１本の吊りボルトＰに対して１本の長ボルトＱを連結する際に使用することも可能である。
【００２３】
本発明の主な構成として、挟着体１、連結ボルト２、斜め支持体３、コイルスプリング４を備えている（図２参照）。挟着体１は、吊りボルトＰの側面を挟着する一対の板状金具であり、外側挟着体１Ａと内側挟着体１Ｂとで構成されている。そして、外側挟着体１Ａと内側挟着体１Ｂとの間に吊りボルトＰを挟んだ状態で吊りボルトＰに挟着体１を装着する（図１参照）。図示例では、外側挟着体１Ａと内側挟着体１Ｂとを２枚の金属板で形成した挟着体１を示している（図２参照）。この外、１枚の金属板を屈曲し、重合した部分で外側挟着体１Ａと内側挟着体１Ｂとを構成し、屈曲部分に吊りボルトＰを挟むようにした挟着体１を形成することも可能である（図示せず）。
【００２４】
図示の外側挟着体１Ａ及び内側挟着体１Ｂは、それぞれ吊りボルトＰに当接する長手中央から平面略直角になるように屈曲されている（図３参照）。更に、これら外側挟着体１Ａ及び内側挟着体１Ｂの吊りボルトＰ側面に当接する部位に、前記吊りボルトＰのネジ山に係合する挟着突起１Ｃ、１Ｄを突設している（図４参照）。これらの挟着突起１Ｃ、１Ｄは、吊りボルトＰのねじ山に係止する突起であり、挟着体１の固定力を極めて強固にしている。
【００２５】
この挟着体１を吊りボルトＰに連結するには、吊りボルトＰを挟んだ外側挟着体１Ａと内側挟着体１Ｂとを貫通する連結ボルト２で連結する（図２参照）。図示例では、外側挟着体１Ａの左右両端部にボルト挿通孔１Ａａが開穿され、また、内側挟着体１Ｂの左右両端部に雌ネジ部１Ｂａが設けられている（図４参照）。そして、斜め支持体３側からボルト挿通孔１Ａａを通した連結ボルト２を雌ネジ部１Ｂａに直接ネジ止めすることで挟着体１を固定する。
【００２６】
連結ボルト２の固定手段は、この他、ボルト挿通孔１Ａａと雌ネジ部１Ｂａとの位置を変更し、内側挟着体１Ｂから挿通した連結ボルト２を外側挟着体１Ａに直接ネジ止めする手段や、別体の固定ナットにネジ止めする手段、あるいは内側挟着体１Ｂや外側挟着体１Ａに予め固定ナットを固着して一体化し、この固定ナットにネジ止めする手段など、任意の固定手段を選択することが可能である。
【００２７】
斜め支持体３は、挟着体１の側面部に重合して長ボルトＱを圧着固定するように構成した圧着部材である（図１参照）。この斜め支持体３は、重合板３Ａ、保持片３Ｂ、圧着片３Ｃを備えている（図２参照）。図示の斜め支持体３は、挟着体１の両端部に一対装着しているが、挟着体１の片側に１個の斜め支持体３を装着するように構成することも可能である。
【００２８】
重合板３Ａは、連結ボルト２を挿通する貫通孔３Ａａが開穿され挟着体１の外側面に長ボルトＱを圧着するように設けられた板状を成す（図２参照）。図示の重合板３Ａは平面略三角形状を成しているが、この形状は任意に変更することができる。例えば図６に示す如く、矩形状（同図（イ）参照）や半円形状（同図（ロ）参照）、円形状（同図（ハ）参照）などのごとくである。また、貫通孔３Ａａの形状も丸形や角形等を問わない。
【００２９】
更に、図示の重合板３Ａには、長ボルトＱ側面に当接する部位に係合突起３Ａｂを突設している（図２参照）。この係合突起３Ａｂは、長ボルトＱのネジ山に係合する突起で、重合板３Ａと外側挟着体１Ａとの間に挟着した長ボルトＱを強固に固定する部位である（図５参照）。
【００３０】
保持片３Ｂは、重合板３Ａの一端側から挟着体１側に屈曲された部位で、重合板３Ａが圧着する長ボルトＱの長手側面を保持するように設けられている（図２参照）。図示の保持片３Ｂは、重合板３Ａの端部を直角に屈曲した帯状であるが、この保持片３Ｂは重合板３Ａの形状に合わせて任意の形状に設けることができる（図６参照）。すなわち、保持片３Ｂが直線状の場合は長ボルトＱの長手側面に沿って接触する（図６（イ）、（ロ）参照）。また、保持片３Ｂが円弧状の場合には、長ボルトＱ側面の二か所に点や線で接触する（同図（ハ）参照）。
【００３１】
圧着片３Ｃは、重合板３Ａの他端側から挟着体１側に屈曲された部位で、挟着体１に直接当接して圧着固定する部位である（図８（ハ）参照）。この圧着片３Ｃも前述の保持片３Ｂと同様に重合板３Ａの形状に合わせて形成することができる（図６参照）。したがって、挟着体１に当接する圧着片３Ｃの部位は、線状や点状、あるいは面状などに選択することができる。また、図示のように、斜め支持体３における圧着片３Ｃと保持片３Ｂとの位置関係は、重合板３Ａの貫通孔３Ａａを介して対向する位置にあるといえる。
【００３２】
コイルスプリング４は、圧縮コイルバネを使用するもので、連結ボルト２に外装した状態で斜め支持体３と挟着体１との間に配置し、挟着体１と斜め支持体３とを押圧付勢する弾性力を利用する。すなわち、斜め支持体３を通した連結ボルト２を挟着体１にネジ止めすると、コイルスプリング４が挟着体１と斜め支持体３とを押圧付勢するので挟着体１と斜め支持体３とが一体化する（図４参照）。したがって、吊りボルトＰに挟着体１と斜め支持体３が仮止めされるものである（図８（イ）参照）。
【００３３】
このように、コイルスプリング４によって、吊りボルトＰに挟着体１や斜め支持体３を簡単に仮止めすることができる。この際、連結ボルト２に外装したコイルスプリング４の端部を連結ボルト２や斜め支持体３に予め固定しておくと、各部品がバラバラにならず落下の恐れがないため、連結ボルト２を操作する際に、斜め支持体３とコイルスプリング４とをセットにした状態で操作することが可能になり、作業性がより向上する。
【００３４】
本発明では、吊りボルトＰに長ボルトＱを連結する際に、挟着体１と斜め支持体３との間に長ボルトＱを重ねて連結ボルト２にて連結し、この連結ボルト２を中心に長ボルトＱの角度を調整しながら、この長ボルトＱを圧着固定するといった極めて簡単な構成になっている（図１参照）。
【００３５】
次に、吊りボルトＰに長ボルトＱを連結する装着手順を示す（図８参照）。図示の手順は、空調機等のボックス状の懸吊物Ｒを懸吊する吊りボルトＰに長ボルトＱを連結する手順を示している。また、図示の挟着体１は、外側挟着体１Ａの左右両端部にボルト挿通孔１Ａａが開穿され、内側挟着体１Ｂの左右両端部に雌ネジ部１Ｂａが設けられたものである。
【００３６】
まず、挟着体１を吊りボルトＰの所定位置に固定するには、外側挟着体１Ａと内側挟着体１Ｂとの間に長ボルトＱを挟み込み、斜め支持体３から外側挟着体１Ａを通した連結ボルト２を内側挟着体１Ｂに軽くネジ止めする（同図（イ）参照）。そうすると、連結ボルト２に外嵌したコイルスプリング４の付勢力の作用で挟着体１と斜め支持体３を吊りボルトＰに仮止めすることができる。
【００３７】
次に、仮止めした挟着体１に、残りの斜め支持体３を仮止めする。この際も、連結ボルト２を内側挟着体１Ｂに軽くネジ止めするのみで、斜め支持体３を簡単に仮止めすることができる（図８（ロ）参照）。また、この状態で仮止めした挟着体１の高さを任意の高さに調整することも可能である。
【００３８】
最後に、斜め支持体３と挟着体１との間に長ボルトＱを差し込み、長ボルトＱの角度を調整しながら連結ボルト２を締め付けて固定する（図８（ハ）参照）。この状態において、長ボルトＱの調整角度を保持片３Ｂが保持し、重合板３Ａと挟着体１とが長ボルトＱを圧着すると共に、圧着片３Ｃが挟着体１に直接圧着しているので、長ボルトＱは強固に固定されるものである。
【００３９】
このように、本発明では、１本の連結ボルト２の締め付け操作で、吊りボルトＰに連結する長ボルトＱの角度調整作業と固定作業とを同時に行うように構成したものである。
【００４０】
尚、本発明振れ止め金具では、空調機等のボックス状の懸吊物Ｒを懸吊する吊りボルトＰ用の振れ止め金具として説明しているが、吊りボルトＰで懸吊する懸吊物Ｒはこの例に限られるものではなく、振れ止め金具が必要なあらゆる場面で使用することができる。また、本発明の挟着体１や斜め支持体３等の構成は図示例に限定されるものではなく、本発明の要旨を変更しない範囲での設計変更は自由である。
【符号の説明】
【００４１】
Ｐ  吊りボルト
Ｑ  長ボルト
Ｒ  懸吊物
１  挟着体
１Ａ  外側挟着体
１Ａａ  ボルト挿通孔
１Ｂ  内側挟着体
１Ｂａ  雌ネジ部
１Ｃ  挟着突起
１Ｄ  挟着突起
２  連結ボルト
３  斜め支持体
３Ａ  重合板
３Ａａ  貫通孔
３Ａｂ  係合突起
３Ｂ  保持片
３Ｃ  圧着片
４  コイルスプリング
【要約】
【課題】吊りボルトを安全且つ合理的に振れ止めすることができる吊りボルト用振れ止め金具を提供する。
【解決手段】外側挟着体１Ａの外側に重合するように設けられた重合板３Ａを設ける。重合板３Ａから屈曲され長ボルトＱの長手側面を保持する保持片３Ｂを設ける。重合板３Ａから屈曲され外側挟着体１Ａに圧着する圧着片３Ｃを設ける。斜め支持体３内側の連結ボルト２にコイルスプリング４を外嵌する。斜め支持体３と挟着体１とを重ねて連結ボルト２にて連結する。連結ボルト２を中心に長ボルトＱの角度を調整自在にする。連結ボルト２の締付で長ボルトＱを挟着体１に圧着固定する。
【選択図】  図１【図１】
0006009710.tif 000002
【図２】
0006009710.tif 000003
【図３】
0006009710.tif 000004
【図４】
0006009710.tif 000005
【図５】
0006009710.tif 000006
【図６】
0006009710.tif 000007
【図７】
0006009710.tif 000008
【図８】
0006009710.tif 000009